【手続補正書】
【提出日】平成18年10月11日(2006.10.11)
【手続補正１】
【補正対象書類名】明細書
【補正対象項目名】特許請求の範囲
【補正方法】変更
【補正の内容】
【特許請求の範囲】
【請求項１】  複数の中央ユニット（ＺＥ）を有しており、該中央ユニットにそれぞれ複数の加入者が配分されてディジタル音声サービスを使用しており、
個々の音声サービスはデータパケットのかたちでフレーム構造の内部に収容されている
フレーム構造を有する無線システムでのディジタルデータの伝送方法において、
スーパーフレーム（Ｓ；Ｓ１，Ｓ２，Ｓ３．．．）を使用し、該スーパーフレームを複数のコンテナ（Ｃ；Ｃ１，Ｃ２，Ｃ３．．．）に分割し、
１つのコンテナ（Ｃ；Ｃ１，Ｃ２，Ｃ３．．．）を、アップリンクデータパケット、ダウンリンクデータパケットおよびこれに属するシグナリングデータから成る少なくとも１つの伝送フレーム全体を内部に収容できる大きさに選定し、
衝突を回避するために
ａ）スーパーフレームへのアロケーションを意図する際に少なくとも１つのスーパーフレーム全体をモニタリングする中央ユニット（ＺＥ）を設け、
ｂ）モニタリングの結果から各周波数チャネルでの伝送フレーム用の空き容量を検出し、
ｃ）空き周波数チャネルを確保し、
ｄ）１つの周波数チャネルの伝送フレームの同じタイムスロットを同様に使用している別の中央ユニット（ＺＥ）との衝突が発生した場合、１つまたは複数の中央ユニット（ＺＥ）によってただちに当該のタイムスロットのアロケーションが中止され、所定の時間後に新たにアロケーションを試行する、
ことを特徴とするフレーム構造を有する無線システムでのディジタルデータの伝送方法。
【請求項２】  複数の中央ユニット（ＺＥ）を有しており、該中央ユニットにそれぞれ複数の加入者が配分されてディジタル音声サービスを使用しており、
個々の音声サービスはデータパケットのかたちでフレーム構造の内部に収容されている
フレーム構造を有する無線システムでのディジタルデータの伝送方法において、
スーパーフレーム（Ｓ；Ｓ１，Ｓ２，Ｓ３．．．）を使用し、該スーパーフレームを複数のコンテナ（Ｃ；Ｃ１，Ｃ２，Ｃ３．．．）に分割し、
１つのコンテナ（Ｃ；Ｃ１，Ｃ２，Ｃ３．．．）を、アップリンクデータパケット、ダウンリンクデータパケットおよびこれに属するシグナリングデータから成る少なくとも１つの伝送フレーム全体を内部に収容できる大きさに選定し、
衝突を回避するために
ａ）１つのコンテナ全体でのスーパーフレームのアロケーションを意図する際に不規則な間隔、例えばランダムな間隔で信号を送信し、該信号によって後続のスーパーフレームのコンテナに割り当てを行おうとしていることを知らせる中央ユニット（ＺＥ）を設け、
ｂ）該中央ユニット自身の送信中にコンテナをモニタリングして別の中央ユニット（ＺＥ）が同様にコンテナに割り当てを行おうとしているか否かを検出し、
ｃ）別の中央ユニットのアロケーション試行が検出された場合には、衝突を認識した当該の中央ユニット（ＺＥ）によりアロケーションが中止されて所定の時間後に新たにアロケーションを試行する、
ことを特徴とするフレーム構造を有する無線システムでのディジタルデータの伝送方法。
【請求項３】  複数の中央ユニット（ＺＥ）を有しており、該中央ユニットにそれぞれ複数の加入者が配分されてディジタル音声サービスを使用しており、
個々の音声サービスはデータパケットのかたちでフレーム構造の内部に収容されている
フレーム構造を有する無線装置において、
スーパーフレーム（Ｓ；Ｓ１，Ｓ２，Ｓ３．．．）が使用され、該スーパーフレームは複数のコンテナ（Ｃ；Ｃ１，Ｃ２，Ｃ３．．．）から成り、
１つのコンテナ（Ｃ；Ｃ１，Ｃ２，Ｃ３．．．）はアップリンクデータパケット、ダウンリンクデータパケットおよびこれに属するシグナリングデータから成る少なくとも１つの伝送フレーム全体を内部に収容できる大きさに選定されており、
衝突を回避するために
ａ）スーパーフレームへのアロケーションを意図する際に少なくとも１つのスーパーフレーム全体をモニタリングする中央ユニット（ＺＥ）が設けられており、
ｂ）モニタリングの結果から各周波数チャネルでの伝送フレーム用の空き容量が検出されており、
ｃ）空き周波数チャネルが確保され、
ｄ）１つの周波数チャネルの伝送フレームの同じタイムスロットを同様に使用している別の中央ユニット（ＺＥ）との衝突が発生した場合、１つまたは複数の中央ユニット（ＺＥ）によってただちに当該のタイムスロットのアロケーションが中止され、所定の時間後に新たにアロケーションが試行される、
ことを特徴とするフレーム構造を有する無線装置。
【請求項４】  複数の中央ユニット（ＺＥ）を有しており、該中央ユニットにそれぞれ複数の加入者が配分されてディジタル音声サービスを使用しており、
個々の音声サービスはデータパケットのかたちでフレーム構造の内部に収容されている
フレーム構造を有する無線装置において、
スーパーフレーム（Ｓ；Ｓ１，Ｓ２，Ｓ３．．．）が使用され、該スーパーフレームは複数のコンテナ（Ｃ；Ｃ１，Ｃ２，Ｃ３．．．）から成り、
１つのコンテナ（Ｃ；Ｃ１，Ｃ２，Ｃ３．．．）は、アップリンクデータパケット、ダウンリンクデータパケットおよびこれに属するシグナリングデータから成る少なくとも１つの伝送フレーム全体を内部に収容できる大きさに選定されており、
衝突を回避するために
ａ）１つのコンテナ全体でのスーパーフレームのアロケーションを意図する際に不規則な間隔、例えばランダムな間隔で信号を送信し、該信号によって後続のスーパーフレームのコンテナに割り当てを行おうとしていることを知らせる中央ユニット（ＺＥ）が設けられており、
ｂ）該中央ユニット自身の送信中にコンテナをモニタリングして別の中央ユニット（ＺＥ）が同様にコンテナに割り当てを行おうとしているか否かが検出され、
ｃ）別の中央ユニットのアロケーション試行が検出された場合には、衝突を認識した当該の中央ユニット（ＺＥ）によりアロケーションが中止されて所定の時間後に新たにアロケーションが試行される、
ことを特徴とするフレーム構造を有する無線装置。
【請求項５】  種々の中央ユニットまたは基地局（ＺＥ）はタイムスロットを伝送フレームまたはコンテナに対して割り当てることができ、さらに衝突回避手段が設けられている、請求項３または４記載の無線装置。
【請求項６】  無線システムの無線セル（Ｒ１，Ｒ２，Ｒ３．．．）には唯一または複数のコンテナ（Ｃ）および唯一または複数の周波数チャネルが配分されている、請求項３から５までのいずれか１項記載の無線装置。
【請求項７】  衝突を回避するためにそれ自体では周知のＣＳＭＡ／ＣＡプロセスが使用される、請求項５または６記載の無線装置。
【請求項８】  各中央ユニット（ＺＥ）により新たなアロケーション試行の時点が衝突検出後に例えばランダム方式にしたがって選択される、請求項５から７までのいずれか１項記載の無線装置。
【請求項９】  中央ユニット（ＺＥ）はアロケーション試行のために伝送フレームに対するタイムスロットに代えて１個のコンテナ（Ｃ）全体を予約する、請求項５から８までのいずれか１項記載の無線装置。
【請求項１０】  無線システムはセクタ化された無線セルから成る、請求項３から９までのいずれか１項記載の無線装置。
【請求項１１】  中央ユニット（ＺＥ）は例えば無線セクタ当たりそれぞれ唯一のコンテナ（Ｃ）を確保する、請求項３から１０までのいずれか１項記載の無線装置。
【請求項１２】  中央ユニット（ＺＥ）は１つまたは複数の周波数チャネルとしての複数のコンテナ（Ｃ）を確保する、請求項３から１１までのいずれか１項記載の無線装置。
【請求項１３】  複数の送信ブランチおよび受信ブランチを有する中央ユニット（ＺＥ）は時間的に同じかまたは直接に続く種々の周波数チャネル上の種々のコンテナ（Ｃ）を確保する、請求項３から１２までのいずれか１項記載の無線装置。
【請求項１４】  データパケットとしてＡＴＭセルが使用される、請求項３から１３までのいずれか１項記載の無線装置。
【請求項１５】  中央制御のプロトコル、例えばＭＡＣプロトコル、インターネットプロトコル、イーサネットプロトコル、またはＵＭＴＳプロトコルが無線トラフィック処理のために使用される、請求項１４記載の無線装置。
【請求項１６】  "隠れ局問題"すなわち例えば端末が中央ユニット（ＺＥ）の無線受信領域外に存在するかまたは中央ユニットが別の中央ユニットの無線受信領域外にあるために端末が認識されないという問題を解消するために衝突回避手段を使用可能であり、アロケーションの試行によって妨害される端末は場合によりアロケーションの試行を行う中央ユニット（ＺＥ）の送信休止中に当該のアロケーション試行を挫折させる送信を行う、請求項５から１５までのいずれか１項記載の無線装置。
【請求項１７】  例えば全ての伝送フレームで送信が行われるのでない場合、衝突を回避するために、アロケーション試行を行う中央ユニット（ＺＥ）に対するモニタリング時間は当該の時間中にアクティブな端末が高い確率で１回送信を行える大きさに選定されている、請求項５から１６までのいずれか１項記載の無線装置。